(57)【要約】  【課題】  カード等に記録された情報が盗み取られることが無い物入れであって、空港等におけるＸ線検査を受けることもできる物入れを提供する。  【解決手段】  携帯用小物入れ１は、基布５，６によって作られたものであって袋形状をしており、基布５，６に積層フィルム１０が重ねられている。積層フィルム１０は、アルミニウム箔層１２と樹脂層１３が積層されたものであり、アルミニウム箔層１２の厚さは、Ｘ線及び極超短波領域の電磁波を透過させるが短波領域の電磁波を遮断することができる厚さに設定されている。カードから発せられる電磁波は積層フィルム１０に遮られて外部に洩れず、スキミングされることは無い。また積層フィルム１０はＸ線を透過するので空港等におけるＸ線検査を受けることができる。【選択図】  図１
2007020592.tif 000002
【特許請求の範囲】
【請求項１】
Ｘ線領域の波長の電磁波を透過し、非接触型情報記録媒体から発せられる波長領域の電磁波を遮断する半透過層を少なくとも一部に備えたことを特徴とする携帯用物入れ。
【請求項２】
Ｘ線領域の波長の電磁波を透過し、非接触型情報記録媒体から発せられる波長領域の電磁波を遮断する半透過層によって覆われた収納部を有することを特徴とする携帯用物入れ。
【請求項３】
Ｘ線領域の波長の電磁波及び携帯電話用の波長領域の電磁波を透過し、非接触型情報記録媒体から発せられる波長領域の電磁波を遮断する半透過層を少なくとも一部に備えたことを特徴とする携帯用物入れ。
【請求項４】
Ｘ線領域の波長の電磁波及び携帯電話用の波長領域の電磁波を透過し、非接触型情報記録媒体から発せられる波長領域の電磁波を遮断する半透過層によって覆われた収納部を有することを特徴とする携帯用物入れ。
【請求項５】
半透過層は、金属箔層と樹脂層が積層されたフィルムであることを特徴とする請求項１乃至４のいずれかに記載の携帯用物入れ。
【請求項６】
半透過層は、少なくとも二層の金属箔層を有し、一方の金属箔層は他方に比べて電磁波の反射作用が高く、他方は一方に比べて電磁波の吸収作用が高いものであり、反射作用の高い金属箔層は吸収作用の高い金属箔層によりも外側の位置に設けられていることを特徴とする請求項１乃至４のいずれかに記載の携帯用物入れ。
【請求項７】
半透過層は、複数枚のフィルムが重ねられて構成されていることを特徴とする請求項１乃至４のいずれかに記載の携帯用物入れ。
【請求項８】
カード挿入ポケットを有し、当該カード挿入ポケットにＸ線領域の波長の電磁波を透過する金属層が設けられたことを特徴とする携帯用物入れ。
【請求項９】
Ｘ線領域の波長の電磁波を透過し、非接触型情報記録媒体から発せられる波長領域の電磁波を遮断する情報漏洩防護フィルム。
【請求項１０】
Ｘ線領域の波長の電磁波及び携帯電話用の波長領域の電磁波を透過し、非接触型情報記録媒体から発せられる波長領域の電磁波を遮断する情報漏洩防護フィルム。
【請求項１１】
金属箔層と樹脂層が積層されたものであることを特徴とする請求項９又は１０に記載の情報漏洩防護フィルム。
【請求項１２】
少なくとも二層の金属箔層を有し、一方の金属箔層は他方に比べて電磁波の反射作用が高く、他方は一方に比べて電磁波の吸収作用が高いものであることを特徴とする請求項９乃至１１のいずれかに記載の情報漏洩防護携フィルム。
【請求項１３】
複数枚のフィルムが重ねられて構成されていることを特徴とする請求項９乃至１２のいずれかに記載の情報漏洩防護フィルム。
【請求項１４】
少なくとも一方の面に接着層が設けられたことを特徴とする請求項９乃至１３のいずれかに記載の情報漏洩防護フィルム。
【発明の詳細な説明】
【技術分野】
【０００１】
本発明は、鞄、袋物、スーツケース等の携帯用の物入れに関するものであり、特に個人情報の漏洩を防止する機能が付加された物入れに関するものである。また本発明は、上記した小物入れ等に使用される情報漏洩防護フィルムに関するものである。
【背景技術】
【０００２】
ハンドバッグや手提げ鞄等の鞄や袋物は、古くから知られており、誰もが日常的に使用している。鞄や袋物には、小銭やハンカチ等の他、キャッシュカードや銀行カード等のカードも入れられる。
これらのカードには、例えば特許文献１の様にＩＣチップ等が埋め込まれたものがある。ＩＣチップ等には口座情報や暗証番号等の重要な情報が記録されている。
また鞄等には携帯電話も入れられる。
【特許文献１】特開２００５−７３１１３号公報
【発明の開示】
【発明が解決しようとする課題】
【０００３】
ところで、近年、スキミングと称される不正行為が問題となっている。スキミングは、他人のカードから口座情報や暗証番号等を読み出し、預金を引き出したり物品を購入する行為である。
本出願時において、スキミング犯の検挙数は少なく、その手口は定かではない。しかしながら、ＩＣチップが埋め込まれたカードには非接触形のものもあり、当該非接触形のカードについては、通勤途上の混雑に紛れてのスキミングが可能ではないかと言われている。即ち非接触形のカードは、樹脂カードにコイルとＩＣチップが埋め込まれており、コイルに磁界を与えることで誘導電流を起こしてＩＣチップのデータを読みだすことができる。そのため所定の機能を備えたカードリーダを近づけるだけでＩＣチップに記録された口座情報や暗証番号等を読み取ることができる。
【０００４】
従って満員電車の中の様に他人と近接した状態にある場合、近接した位置に居る者がカードリーダを保持しておれば、カードの口座番号等を盗み取られる可能性がある。また近年、カードリーダの性能が向上し、カードと同等サイズのカードリーダも市販されている。この様な現状から、スキミングに対する不安が高く、スキミングを防止する対策が望まれている。
スキミングを防止する方策として、鞄やカード入れに金属板を取り付け、カードから漏洩する電磁波を遮蔽する方策が考えられる。そこで本発明者は、鞄の内面に金属板を貼り付け、電波が鞄の外に洩れることの無いスキミング防止鞄を試作した。
【０００５】
しかしこれを試作して実験的に使用する内、重大な不具合があることが分かった。
即ち近年、空港等ではハイジャックの防止を目的としてＸ線による所持品検査が行われることが多い。具体的には、鞄にＸ線を照射して内部を透かし、内部に銃砲や刃物がないことを確認する。
ところが前記したスキミング防止鞄は、金属板が貼りつけられているので、Ｘ線が透過せず、内部を伺い知ることができない。そのため空港等の検査官に怪しまれ、内部の目視点検が行われる。即ち警察官等に鞄の開封を命ぜられ、内部を見られる。このように警察官等に鞄の開封を命ぜられるのは煩わしく、また鞄の中を見られるのは恥ずかしい。
そこで本発明は、カード等に記録された情報が盗み取られることが無い物入れであり、且つＸ線による所持品検査で有らぬ疑いを掛けられることの無い携帯用物入れを提供することを課題とする。また併せてスキミング等を防ぐためのフィルムを提供することを課題とする。
【課題を解決するための手段】
【０００６】
そして上記した課題を解決するための請求項１に記載の発明は、Ｘ線領域の波長の電磁波を透過し、非接触型情報記録媒体から発せられる波長領域の電磁波を遮断する半透過層を少なくとも一部に備えたことを特徴とする携帯用物入れである。
【０００７】
また請求項２に記載の発明は、Ｘ線領域の波長の電磁波を透過し、非接触型情報記録媒体から発せられる波長領域の電磁波を遮断する半透過層によって覆われた収納部を有することを特徴とする携帯用物入れである。
【０００８】
請求項１及び２に記載の携帯用物入れは、半透過層を有し、この半透過層はＸ線領域の波長の電磁波を透過する。そのためＸ線による所持品検査の際には中を透視することができる。
一方、前記した半透過層は、クレジットカード等の非接触型情報記録媒体から発せられる波長領域の電磁波を遮断する。そのためカード等に記録された情報が外部に洩れない。  上記した請求項１，２に記載の発明は、Ｘ線の波長と、クレジットカード等の非接触型情報記録媒体から発せられる電磁波の波長が大きく異なる点に注目したものである。即ちＸ線検査に使用される電磁波（Ｘ線）は、０．１オングストローム以下程度であるのに対し、クレジットカード等の非接触型情報記録媒体では、短波領域（現在１３．５６ＭＨｚ程度）の周波数が採用されており、その波長は、１０ｍ〜１００ｍ程度である。
そのためＸ線検査に使用される電磁波とクレジットカード等の非接触型情報記録媒体から発せられる電磁波は透過能力が大きく相違する。そのためＸ線領域の波長の電磁波を透過し、非接触型情報記録媒体から発せられる波長領域の電磁波を遮断する物質が存在する。例えばアルミ箔に波長の異なる電磁波を照射して透過力を測定したとき、ある一定の周波数以下（波長がある一定の長さ以上）である場合は、相当の量の電磁波が透過するが、一定の周波数（波長）を境に透過する電磁波が急減する。そしてアルミ箔の厚さを厚くしたり、枚数を重ねると、上記した波長の臨界値が短いものとなる。
【０００９】
また請求項３に記載の発明は、Ｘ線領域の波長の電磁波及び携帯電話用の波長領域の電磁波を透過し、非接触型情報記録媒体から発せられる波長領域の電磁波を遮断する半透過層を少なくとも一部に備えたことを特徴とする携帯用物入れである。
【００１０】
請求項４に記載の発明は、Ｘ線領域の波長の電磁波及び携帯電話用の波長領域の電磁波を透過し、非接触型情報記録媒体から発せられる波長領域の電磁波を遮断する半透過層によって覆われた収納部を有することを特徴とする携帯用物入れである。
【００１１】
請求項３，４に記載の携帯用物入れは、携帯電話を収納していても着信を知ることができるものである。
即ち携帯電話はハンドバック等に入れられることが多いが、他者から電話を掛けられたときに着信を知ることができることが望ましい。本発明で採用する半透過層は、携帯電話用の波長領域の電磁波を透過することができるので、他者から電話を掛けられたとき、鞄等の中で携帯電話が着信する。
なお携帯電話用の周波数は、極超短波領域（現在では、８００ＭＨｚ、１．５ＧＨｚ，２．４ＧＨｚ程度）であり、その波長は、前記したクレジットカード等の非接触型情報記録媒体から発せられる電磁波（短波領域）よりも短い。そのため携帯電話で使用される波長の電磁波を透過し、非接触型情報記録媒体から発せられる波長領域の電磁波を遮断する物質が存在する。
【００１２】
半透過層は、金属箔層と樹脂層が積層されたフィルムであることが望ましい。
【００１３】
また半透過層は、少なくとも二層の金属箔層を有し、一方の金属箔層は他方に比べて電磁波の反射作用が高く、他方は一方に比べて電磁波の吸収作用が高いものであり、反射作用の高い金属箔層は吸収作用の高い金属箔層によりも外側の位置に設けられていることが望ましい。
【００１４】
さらに半透過層は、複数枚のフィルムが重ねられて構成することもできる。
【００１５】
また請求項８に記載の発明は、カード挿入ポケットを有し、当該カード挿入ポケットにＸ線領域の波長の電磁波を透過する金属層が設けられたことを特徴とする携帯用物入れである。
【００１６】
本発明の携帯用物入れでは、カード挿入ポケットにＸ線領域の波長の電磁波を透過する金属層が設けられている。そのためそのためＸ線による所持品検査の際にはカード挿入ポケットの中を透視することができる。
また本発明の携帯用物入れでは、カードに近接した位置に金属層が設けられるので、カードから発せられる電磁波や磁力線が減衰され、スキミングが不能となる。また本発明の携帯用物入れでは、カードに近接した位置に金属層が設けられるので、カードに内蔵されたアンテナと干渉してアンテナの効率を低下させる機能がある。
【００１７】
また情報漏洩防護フィルムに関する発明は次の通りである。即ち請求項９に記載の発明は、線領域の波長の電磁波を透過し、非接触型情報記録媒体から発せられる波長領域の電磁波を遮断する情報漏洩防護フィルムである。
【００１８】
請求項１０に記載の発明は、Ｘ線領域の波長の電磁波及び携帯電話用の波長領域の電磁波を透過し、非接触型情報記録媒体から発せられる波長領域の電磁波を遮断する情報漏洩防護フィルムである。
【００１９】
請求項１１に記載の発明は、金属箔層と樹脂層が積層されたものであることを特徴とする請求項９又は１０に記載の情報漏洩防護フィルムである。
【００２０】
請求項１２に記載の発明は、少なくとも二層の金属箔層を有し、一方の金属箔層は他方に比べて電磁波の反射作用が高く、他方は一方に比べて電磁波の吸収作用が高いものであることを特徴とする請求項９乃至１１のいずれかに記載の情報漏洩防護携フィルムである。
【００２１】
請求項１３に記載の発明は、複数枚のフィルムが重ねられて構成されていることを特徴とする請求項９乃至１２のいずれかに記載の情報漏洩防護フィルムである。
【００２２】
請求項１４に記載の発明は、少なくとも一方の面に接着層が設けられたことを特徴とする請求項９乃至１３のいずれかに記載の情報漏洩防護フィルムである。
【００２３】
本発明の情報漏洩防護フィルムは、一方の面に接着層が設けられているで、既存の小物入れや定期入れに貼り付けることができ、スキミング対策をとることができる。また部屋の壁等に貼ることにより、室内から電磁波が洩れることを防ぐことができ、盗聴等の対策をとることができる。
【発明の効果】
【００２４】
本発明の小物入れは、電磁波等を遮蔽することができ、スキミングによる情報の盗用を防止することができる効果がある。またＸ線による所持品検査を行うことができ、空港等の所持品検査で手間取ることがない。
また本発明の情報漏洩防護フィルムも同様であり、スキミングによる情報の盗用を防止することができるがＸ線による所持品検査を行うことができる。
【発明を実施するための最良の形態】
【００２５】
以下さらに本発明の実施形態について説明する。
図１は、本発明の実施形態の携帯用小物入れの正面図である。図２は、図１のＡ−Ａ断面拡大図である。図３は、積層フィルム（半透過層）の拡大断面図である。
【００２６】
図１に示す携帯用小物入れ１は、全体が略長方形であり、その二辺（図１のＢ−Ｂエリア）が開口する。そして当該開口部分にはファスナー２が取り付けられている。
携帯用小物入れ１は、閉塞側の辺（図１のＣ−Ｃエリア）が縫合されて作られている。縫製部分の構造は、図２の通りである。即ち携帯用小物入れ１の表面の表側を構成する基布５と裏側を構成する基布６が重ねられ、その端部が糸７によって縫合され、別布により端の始末がされた上、裏表を裏返して袋形状が作られている。
【００２７】
また特に本実施形態では、基布５，６に積層フィルム（半透過層）１０が重ねられており、前記した縫製の際に基布５，６と共に積層フィルム１０も縫合されている。
従って本実施形態の携帯用小物入れ１は、袋形状の内面の全てに積層フィルム１０が設けられ、収容部が積層フィルム１０によって覆われている。
【００２８】
ここで積層フィルム１０は、例えばスナック菓子の袋の素材と同等のものであり、図３（ａ）の様にアルミニウム箔層１２と樹脂層１３が積層されたものである。
或いは図３（ｂ）の様にアルミニウム箔層１２を二つの樹脂層１３で挟んだものであってもよい。
さらには図３（ｃ）の様に二層以上の金属箔層１４，１５を有し、両者の間と両者の外面側に樹脂層１３を設けたものであってもよい。
ここで金属箔層１４，１５は、同種の金属（例えばアルミ箔）であってもよいが、異種の金属を使用することも推奨される。
【００２９】
異種金属の組み合わせとしては、金属箔層が電磁波の反射作用を持つ金属と、電磁波の吸収作用を持つ金属を組み合わせることが推奨される。
前者の電磁波の反射作用を持つ金属としては、アルミニウム、銀、銅等が上げられる。後者の電磁波の吸収作用を持つ金属としては、マグネシウム又はこれを含有する合金が上げられる。
【００３０】
異種金属を組み合わせたものを採用する場合には、携帯用小物入れ１の外側に面する側に反射作用を持つ金属を配し、内側に吸収作用を持つ金属を配する。
こうすることにより、外部からの電磁波の影響を外側の金属によって排除することができ、カードから発信される電磁波は、内側の吸収作用を持つ金属によって漏洩が阻止される。
なお後記する実施形態の様に、部分的に積層フィルム１０を取り付ける場合には、カード等に面する側に電磁波の吸収作用を持つ金属を配することが推奨される。
【００３１】
また積層フィルム１０のアルミニウム箔層１２の厚さや、他の金属箔層１４，１５の厚さは、Ｘ線及び極超短波領域の電磁波を透過させるが短波領域の電磁波を遮断することができる厚さに設定されている。
即ち積層フィルム１０は、Ｘ線領域の波長の電磁波及び携帯電話用の波長領域の電磁波を透過し、非接触型情報記録媒体から発せられる波長領域の電磁波を遮断する性質を持つ。
積層フィルム１０の厚さは、トライアンドエラーによって実験的に決定される。即ち候補となる積層フィルム１０を多数用意し、これらでクレジットカードと携帯電話を包み、この状態でカードリーダに掛ける。また外部から携帯電話に電話を掛けて着信を確認する。この作業によって、携帯電話は着信可能であるがカードリーダによる読み取りが出来なかった積層フィルム１０を選定する。そしてこの積層フィルム１０にＸ線を照射し、モニター画面で内部が透けてみえるか否かを確認する。
こうした作業によって、Ｘ線領域の波長の電磁波及び携帯電話用の波長領域の電磁波を透過し、非接触型情報記録媒体から発せられる波長領域の電磁波を遮断する性質を持つ積層フィルム１０を選定する。
【００３２】
また薄い積層フィルム１０を用意し、これを重ねることによって半透過層を構成することも可能である。即ち薄い積層フィルム１０を適当な枚数重ね、これでもって前記した様にクレジットカードと携帯電話を包む。そしてこの状態でカードリーダに掛ける。もしカードリーダによる読み取りが可能であれば、さらに積層フィルム１０を重ねる。
【００３３】
続いてこの枚数の積層フィルム１０にＸ線を照射し、モニター画面で内部が透けてみえるか否かを確認する。モニター画面で内部が透けて見えたならば携帯電話が着信可能か否かを確認する。携帯電話が着信可能であればこの枚数の積層フィルム１０を採用する。携帯電話が着信不能であれば携帯電話が着信可能な枚数になるまで積層フィルム１０を減らしてゆく。
【００３４】
また前記したＸ線による試験で、内部が透けて見えないならば、内部が透ける状態となるまで積層フィルム１０を減らし、さらに続いて携帯電話が着信可能か否かを確認する。      
【００３５】
積層フィルム１０の樹脂層の素材は任意であり、公知の樹脂であってフィルム化が可能なものであれば良い。例えばセロハン、ポリエチレン、延伸ポリプロピレン、無延伸ポリプロピレン、ポリエチレンテレフタレート，ポリ塩化ビニリデンコート二軸延伸ポリプロピレン、Ｋコートポリエチレンテレフタレート、エチレンビニルアルコール共重合体等の樹脂を使用することができる。
【００３６】
本実施形態の携帯用小物入れ１は、ファスナー２を開いて中の空間にカード等を入れることができるが、本実施形態の携帯用小物入れ１は、内面の全てにアルミニウム箔層１２と樹脂層１３との積層フィルム１０が設けられているので、カードから発せられる電磁波が外部に洩れない。そのためスキミングされることは無い。
また携帯電話に使用される周波数の電波は透過するので、携帯用小物入れ１に携帯電話を入れた状態で、他人が携帯電話に電話すれば、携帯電話は着信する。
一方、空港等でＸ線による所持品検査を受けた場合は、Ｘ線が携帯用小物入れ１を透過するので検査官等に怪しまれない。
【００３７】
また積層フィルム１０は、基布５，６を縫合する際に同時に縫い込まれるので、製造も容易である。
【００３８】
以上説明した実施形態では、積層フィルム１０を全面に設けた例を示したが、要部にだけ積層フィルム１０を設けてもよい。即ちカードを収納する蓋然性が高い部位にのみ、積層フィルム１０を設ける。なおカードを収納する蓋然性が高い部位にのみ、積層フィルム１０を設ける場合、金属層がカードに近接した位置に配されることとなるから、カードに内蔵されたアンテナと金属層が干渉してアンテナの効率を低下させる機能がある。
以下、要部にのみ積層フィルム１０を設けた例を示す。
図４は、本発明の第二実施形態のハンドバッグの正面図である。図５は、図４のハンドバッグの内ポケットの正面図である。図６は、図５の内ポケットにカードを挿入する際の状態を示す斜視図である。図７は、図５の内ポケットの断面図である。図８は、本発明の第三実施形態の定期入れの斜視図である。図９は、図８の定期入れを開いた状態を示す正面図である。
【００３９】
図４に示すハンドバッグ２０は、内部に内ポケット（カード挿入ポケット）２１が設けられている。内ポケット２１は、図５の様に主としてカード２２が挿入される。内ポケット２１には、カード２２の一部が露出した状態で挿入されるが、内ポケット２１はカード２２のＩＣチップ２３が十分に隠れる深さを持つ。そして本実施形態では、内ポケット２１の内面に前記した積層フィルム１０が縫合されている。即ち図７の様に内ポケット２１の内面の全ての領域に積層フィルム１０が設けられている。
【００４０】
積層フィルム１０は、前記した実施形態で採用したものであってもよいが、より好ましくは、Ｘ線領域の波長の電磁波を透過し、電波領域の電磁波（３０００ＧＨｚ以下  波長０．１ｍｍ以上）を遮断するものであることが望ましい。
【００４１】
本実施形態のハンドバッグ２０では、内ポケット（カード挿入ポケット）２１が積層フィルム１０によって覆われているから、カードをスキミングされることはない。
またハンドバック２０の他の収納領域には積層フィルム１０が無いからハンドバック２０に携帯電話を入れた状態で、他人が携帯電話に電話すれば、携帯電話は着信する。
一方、空港等でＸ線による所持品検査を受けた場合は、Ｘ線がハンドバック２０の全ての領域を透過するので検査官等に怪しまれない。
【００４２】
図８，９は、本発明を定期入れに応用した例である。図８，９に示す定期入れ３０は、皮革製の二つ折り構造である。定期入れ３０を開いた状態は、図９の通りであり、図面左側（Ａ−Ｂエリア）は定期入れとなっており、図面右側（Ｂ−Ｃエリア）はカード入れとなっている。
そして図面右側（Ｂ−Ｃエリア）には３個のカード挿入ポケット３５，３６，３７が設けられている。カード挿入ポケット３５，３６，３７は、いずれもカードの一部が露出した状態で挿入されるが、ＩＣチップ２３は隠れる。
また各カード挿入ポケット３５，３６，３７の内面には前記した積層フィルム１０が縫合されている。ここで積層フィルム１０は、先のハンドバッグ２０と同様に、Ｘ線領域の波長の電磁波を透過し、電波領域の電磁波（３０００ＧＨｚ以下  波長０．１ｍｍ以上）を遮断するものであることが望ましい。
【００４３】
一方、図面左側（Ａ−Ｂエリア）には前記した様に定期が挿入される。本実施形態の定期入れ３０では、図面左側（Ａ−Ｂエリア）の定期挿入部位３８には積層フィルムが無い。従って定期挿入部位３８に挿入されたカードは電磁波等が外部に洩れる。そのため例えば電車の非接触形定期を定期挿入部位３８に入れておくと、一々定期を出すことなく改札を通過することができる。
【００４４】
なお、図８に示すように、定期入れを折り畳んだ状態の時、定期入れ側とカード入れ側との間に隙間３１ができるが、この隙間は僅かであり、実質的に電磁波は洩れない。即ち定期入れ側とカード入れ側との間の隙間３１は、カードから発せられる電磁波の波長よりも小さく、電磁波は洩れない。また隙間３１部分の近傍にはアルミニウム箔層１２が幾層にもあり、カードから発せられる電磁波が減衰する。
【００４５】
次に本発明の第四実施形態について説明する。
図１０は、本発明の第四実施形態の札入れの斜視図である。図１１は、図１０の札入れを開いた状態を示す斜視図である。図１２は、図１０の札入れに入れることが望ましいカードの表面図（ａ）と、裏面図（ｂ）である。図１３は、図１２のカードの断面図である。図１４は、図１０の札入れにカードを挿入した状態を示す斜視図である。図１５は、図１０の札入れにカードを挿入した状態におけるポケットの断面図である。図１６は、図１０の札入れにカードを挿入した状態におけるポケットの斜視図である。
【００４６】
本実施形態の札入れ４０は、二つ折り構造であり、札入れ部４１を持ち、札入れ部４１の全面側にカード挿入ポケット４３が設けられている。カード挿入ポケット４３は、深さがカード５０の幅よりも浅く、図１４の様にカード５０は、その一部が露出した状態で挿入される。
【００４７】
カード挿入ポケット４３は、図１５の様に札入れ４０の本体側に面する内壁５１と、ポケットの膨らみを構成する外壁５２によって構成されている。そして本実施形態では、カード挿入ポケット４３の全内周面に積層フィルム（半透過層）１０が取り付けられている。即ち外壁５２の内側と内壁５１の内側に積層フィルム（半透過層）１０が縫い付けられている。積層フィルム１０は、先のハンドバッグ２０と同様に、Ｘ線領域の波長の電磁波を透過し、電波領域の電磁波（３０００ＧＨｚ以下  波長０．１ｍｍ以上）を遮断するものであることが望ましい。
【００４８】
また本実施形態で採用するカード５０は、一方の面の全域にアルミ箔（電磁波防護層）５３が設けられている。そのためカード５０は、一方の面からだけ電磁波が輻射され、アルミ箔５３が設けらた面からは電磁波は輻射されない。図１２，１６において、網かけした側の表面にアルミ箔５３が設けられており、当該表面は、電磁波の非輻射面である。また「Ａ」の文字が表示された側が電磁波の輻射面である。
【００４９】
本実施形態の札入れ４０では、カード挿入ポケット４３から出さずにカードリーダによって情報の読み出しを行いたい場合は、図１５（ａ）、図１６（ａ）の様にカード５０の電磁波の輻射面が外壁５２に面する様にカード５０を挿入しておく。
本実施形態では前記した様に、カード５０は、その一部が露出した状態で挿入されるので、露出部分から電磁波が輻射され、非接触型のカードリーダでカード５０に記録された情報を読み取ることができる。
【００５０】
逆にカード５０のアルミ箔（電磁波防護層）５３が設けられた側を外壁５２に面する様にカード５０を挿入すると、電磁波は外部に洩れない。そのためスキミングされることはない。
また本実施形態では、カード挿入ポケット４３が複数設けられているので、カード挿入ポケット４３から出さずに情報の読み出しを行いたいカードは、電磁波の輻射面が外壁５２に面する向きに挿入し、そうでないカードについては裏返しにして挿入しておくと便利である。
【００５１】
次に本発明の第五、第六実施形態について説明する。
図１７は、本発明の第五実施形態の定期入れの開いた状態を示す正面図及びカードの正面図である。図１８は、本発明の第六実施形態の定期入れのカードを挿入した状態におけるポケットの断面図である。
【００５２】
第五、第六実施形態は、前記した第四実施形態の変形例である。即ち第四実施形態では、カード挿入ポケット４３の深さを浅くして、カードの露出部分を作り、当該露出部分から電磁波が輻射させた。
これに対して図１７に示す定期入れ６０では、カード挿入ポケット３５の深さはカードがすっぽりと入る深さとし、カード挿入ポケット３５自体に孔６１を設けた。孔６１の位置は、カード５０のＩＣチップ２３の位置に相当する。
本実施形態の定期入れ６０では、孔６１から電磁波が輻射される。なお他の構成は、前記した図９に示す定期入れ３０と同一である。
【００５３】
また図１８に示すように、内壁５１側だけ積層フィルム（半透過層）１０を設け、外壁５２には積層フィルムが無い構成としてもよい。本実施形態では、外壁５２は電磁波が透過可能であるから、カード５０の電磁波の輻射面が外壁５２に面する様にカード５０を挿入すると、カード５０をポケット６３から出さなくても非接触型のカードリーダでカード５０に記録された情報を読み取ることができる。
【００５４】
次に本発明の情報漏洩防護フィルムの他の用途について説明する。
情報漏洩防護フィルムは、小物入れに限らず、物品の収納物や収納室等から電磁波が洩れることを防ぐことができる。また空港等でＸ線による所持品検査を受けた場合は、Ｘ線が情報漏洩防護フィルムを透過するので検査官等に怪しまれない。
【００５５】
即ち収納物の表面や内面に情報漏洩防護フィルムを貼着したり縫製して取付け、電磁波の洩れを防ぐことができる。カーテンや壁紙に情報漏洩防護フィルムを取り付けることも考えられる。勿論、壁に直接情報漏洩防護フィルムを貼りつけてもよい。
図１９は、壁貼り用の情報漏洩防護フィルムの拡大断面図である。図２０は、壁貼り用の情報漏洩防護フィルムを壁に貼る際の状態を示す斜視図である。
【００５６】
壁貼り用の情報漏洩防護フィルム６５は、図１９の様にアルミニウム箔層１２の両面に樹脂層１３が積層され、さらに一方の面に接着層６６と離型紙層６７が設けられたものである。壁貼り用の情報漏洩防護フィルム６５は、裏面側の離型紙層６７を剥がして図２０の様に壁６８の表面に貼ることができる。
【００５７】
また情報漏洩防護フィルム自体で収納容器を作ってもよい。図２１は、本発明の情報漏洩防護フィルムで作られたカードケースの斜視図である。
本実施形態のカードケース７０は、情報漏洩防護フィルムを二枚重ね、その３辺を熱融着したものであり、袋状であって内部にカード２２を入れることができる。
また被服やエプロン等の裏面や一部に情報漏洩防護フィルムを取り付けてもよい。
【００５８】
上記した様にこれらの実施形態の携帯用小物入れやカード入れは、カードから発せられる電磁波を遮蔽することができ、スキミングを防ぐことができる。
【図面の簡単な説明】
【００５９】
【図１】本発明の実施形態の携帯用小物入れの正面図である。
【図２】図１のＡ−Ａ断面拡大図である。
【図３】積層フィルム（半透過層）の拡大断面図である。
【図４】本発明の第二実施形態のハンドバッグの正面図である。
【図５】図４のハンドバッグの内ポケットの正面図である。
【図６】図５の内ポケットにカードを挿入する際の状態を示す斜視図である。
【図７】図５の内ポケットの断面図である。
【図８】本発明の第三実施形態の定期入れの斜視図である。
【図９】図８の定期入れを開いた状態を示す正面図である。
【図１０】本発明の第四実施形態の札入れの斜視図である。
【図１１】図１０の札入れを開いた状態を示す斜視図である。
【図１２】図１０の札入れに入れることが望ましいカードの表面図（ａ）と、裏面図（ｂ）である。
【図１３】図１２のカードの断面図である。
【図１４】図１０の札入れにカードを挿入した状態を示す斜視図である。
【図１５】図１０の札入れにカードを挿入した状態におけるポケットの断面図である。
【図１６】図１０の札入れにカードを挿入した状態におけるポケットの斜視図である。
【図１７】本発明の第五実施形態の定期入れの開いた状態を示す正面図である。
【図１８】本発明の第六実施形態の定期入れのカードを挿入した状態におけるポケットの断面図である。
【図１９】壁貼り用の情報漏洩防護フィルムの拡大断面図である。
【図２０】壁貼り用の情報漏洩防護フィルムを壁に貼る際の状態を示す斜視図である。
【図２１】本発明の情報漏洩防護フィルムで作られたカードケースの斜視図である。
【符号の説明】
【００６０】
１  携帯用小物入れ
５，６  基布
７  糸
１０，６５  積層フィルム（半透過層）
１２  アルミニウム箔層
１３  樹脂層
２０  ハンドバッグ
２１  内ポケット（カード挿入ポケット）
２２  カード
２３  ＩＣチップ
３０  定期入れ
３５，３６，３７  カード挿入ポケット
３８  定期挿入部位
４０  札入れ
４３  カード挿入ポケット
５０  カード
５１  内壁
５２  外壁
５３  アルミ箔（電磁波防護層）
６０  定期入れ
６１  孔
６３  ポケット
７０  カードケース
【図１】
2007020592.tif 000003
【図２】
2007020592.tif 000004
【図３】
2007020592.tif 000005
【図４】
2007020592.tif 000006
【図５】
2007020592.tif 000007
【図６】
2007020592.tif 000008
【図７】
2007020592.tif 000009
【図８】
2007020592.tif 000010
【図９】
2007020592.tif 000011
【図１０】
2007020592.tif 000012
【図１１】
2007020592.tif 000013
【図１２】
2007020592.tif 000014
【図１３】
2007020592.tif 000015
【図１４】
2007020592.tif 000016
【図１５】
2007020592.tif 000017
【図１６】
2007020592.tif 000018
【図１７】
2007020592.tif 000019
【図１８】
2007020592.tif 000020
【図１９】
2007020592.tif 000021
【図２０】
2007020592.tif 000022
【図２１】
2007020592.tif 000023